【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
第１セパレーターと前記第１セパレーターの両側に位置したカソード及びアノードをそれぞれ備える複数の単位セル；及び
積層された形態で対応するように隣接した各々の単位セルの間に介されて各々の単位セルを囲むように配置された、連続した単一の第２セパレーターを備える電気化学素子において、
前記第１セパレーターは、融点が２００℃以上である耐熱性多孔性基材と、前記耐熱性多孔性基材の少なくとも一面にコートされており、複数の無機物粒子及びバインダー高分子の混合物から形成された第１多孔性コーティング層とを含み、
前記第２セパレーターは、ポリオレフィン系多孔性基材と、前記ポリオレフィン系多孔性基材の少なくとも一面にコートされており、複数の無機物粒子及びバインダー高分子の混合物から形成された第２多孔性コーティング層とを含むことを特徴とする電気化学素子。
【請求項２】
前記耐熱性多孔性基材は、ポリエステル（Ｐｏｌｙｅｓｔｅｒ）、ポリアセタール（Ｐｏｌｙａｃｅｔａｌ）、ポリアミド（Ｐｏｌｙａｍｉｄｅ）、ポリカーボネート（Ｐｏｌｙｃａｒｂｏｎａｔｅ）、ポリイミド（Ｐｏｌｙｉｍｉｄｅ）、ポリエーテルエーテルケトン（Ｐｏｌｙｅｔｈｅｒｅｔｈｅｒｋｅｔｏｎｅ）、ポリエーテルスルホン（Ｐｏｌｙｅｔｈｅｒｓｕｌｆｏｎｅ）、ポリフェニレンスルフィドロ（Ｐｏｌｙｐｈｅｎｙｌｅｎｅｓｕｌｆｉｄｒｏ）、ポリエチレンナフタレン（Ｐｏｌｙｅｔｈｙｌｅｎｅｎａｐｈｔｈａｌｅｎｅ）及びポリフェニレンオキシド（Ｐｏｌｙｐｈｅｎｙｌｅｎｅｏｘｉｄｅ）からなる群より選択された何れか一つまたはこれらのうち２種以上の混合物から形成されたことを特徴とする請求項１に記載の電気化学素子。
【請求項３】
前記耐熱性多孔性基材の厚さは１ないし１００μｍであり、気孔の大きさ及び気孔率はそれぞれ０.０１ないし５０μｍ及び５ないし９５％であることを特徴とする請求項１または２に記載の電気化学素子。
【請求項４】
前記ポリオレフィン系多孔性基材は、ポリエチレン、ポリプロピレン及びこれらの混合物からなる群より選択された何れか一つから形成されたことを特徴とする請求項１〜３のいずれかに記載の電気化学素子。
【請求項５】
前記ポリオレフィン系多孔性基材の融点は、１３０ないし１６０℃であることを特徴とする請求項１〜４のいずれかに記載の電気化学素子。
【請求項６】
前記ポリオレフィン系多孔性基材の厚さは１ないし１００μｍであり、気孔の大きさ及び気孔率はそれぞれ０.１ないし５０μｍ及び１０ないし９５％であることを特徴とする請求項１〜５のいずれかに記載の電気化学素子。
【請求項７】
前記第１多孔性コーティング層及び第２多孔性コーティング層の無機物粒子の粒径は、互いに独立して、０.００１ないし１０μｍであることを特徴とする請求項１〜６のいずれかに記載の電気化学素子。
【請求項８】
前記第１多孔性コーティング層及び第２多孔性コーティング層の無機物粒子は、互いに独立して、誘電率定数が５以上である無機物粒子、リチウムイオン伝達能力を有する無機物粒子及びこれらの混合物からなる群より選択された何れか一つを含むことを特徴とする請求項１〜７のいずれかに記載の電気化学素子。
【請求項９】
前記誘電率定数が５以上である無機物粒子は、ＢａＴｉＯ3、Ｐｂ（Ｚｒ, Ｔｉ）Ｏ3（ＰＺＴ）、Ｐｂ1-xＬａxＺｒ1-yＴｉyＯ3（ＰＬＺＴ）、ＰＢ（Ｍｇ3Ｎｂ2/3）Ｏ3−ＰｂＴｉＯ3（ＰＭＮ‐ＰＴ）、ハフニア（ＨｆＯ2）、ＳｒＴｉＯ3、ＳｎＯ2、ＣｅＯ2、ＭｇＯ、ＮｉＯ、ＣａＯ、ＺｎＯ、ＺｒＯ2、ＳｉＯ2、Ｙ2Ｏ3、Ａｌ2Ｏ3、ＳｉＣ及びＴｉＯ2からなる群より選択された何れか一つの無機物粒子であることを特徴とする請求項８に記載の電気化学素子。
【請求項１０】
前記誘電率定数が５以上である無機物粒子は、ＢａＴｉＯ3、Ｐｂ（Ｚｒ, Ｔｉ）Ｏ3（ＰＺＴ）、Ｐｂ1-xＬａxＺｒ1-yＴｉyＯ3（ＰＬＺＴ）、ＰＢ（Ｍｇ3Ｎｂ2/3）Ｏ3−ＰｂＴｉＯ3（ＰＭＮ‐ＰＴ）及びハフニア（ＨｆＯ2）からなる群より選択された何れか一つの圧電性無機物粒子であることを特徴とする請求項９に記載の電気化学素子。
【請求項１１】
前記リチウムイオン伝達能力を有する無機物粒子は、リチウムホスフェート（Ｌｉ3ＰＯ4）、リチウムチタンホスフェート（ＬｉxＴｉy（ＰＯ4）3, ０＜ｘ＜２, ０＜ｙ＜３）、リチウムアルミニウムチタンホスフェート（ＬｉxＡｌyＴｉz（ＰＯ4）3, ０＜ｘ＜２, ０＜ｙ＜１, ０＜ｚ＜３）、（ＬｉＡｌＴｉＰ）xＯy系列ガラス（０＜ｘ＜４, ０＜ｙ＜１３）、リチウムランタンチタネート（ＬｉxＬａyＴｉＯ3, ０＜ｘ＜２, ０＜ｙ＜３）、リチウムゲルマニウムチオホスフェート（ＬｉxＧｅyＰzＳw, ０＜ｘ＜４, ０＜ｙ＜１, ０＜ｚ＜１, ０＜ｗ＜５）、リチウムナイトライド（ＬｉxＮy, ０＜ｘ＜４, ０＜ｙ＜２）、ＳｉＳ2（ＬｉxＳｉyＳz, ０＜ｘ＜３, ０＜ｙ＜２, ０＜ｚ＜４）系列ガラス及びＰ2Ｓ5（ＬｉxＰyＳz, ０＜ｘ＜３, ０＜ｙ＜３, ０＜ｚ＜７）系列ガラスからなる群より選択された何れか一つの無機物粒子であることを特徴とする請求項８に記載の電気化学素子。
【請求項１２】
前記第１多孔性コーティング層及び第２多孔性コーティング層の無機物粒子とバインダー高分子との重量比は、互いに独立して、５０:５０ないし９９:１であることを特徴とする請求項１〜１１のいずれかに記載の電気化学素子。
【請求項１３】
前記第１多孔性コーティング層及び第２多孔性コーティング層のバインダー高分子は、互いに独立して、溶解度指数が１５ないし４５ＭＰａ1/2であることを特徴とする請求項１〜１２のいずれかに記載の電気化学素子。
【請求項１４】
前記バインダー高分子は、ポリビニリデンフルオライド‐ヘキサフルオロプロピレン（ｐｏｌｙｖｉｎｙｌｉｄｅｎｅ ｆｌｕｏｒｉｄｅ‐ｃｏ‐ｈｅｘａｆｌｕｏｒｏｐｒｏｐｙｌｅｎｅ）、ポリビニリデンフルオライド‐トリクロロエチレン（ｐｏｌｙｖｉｎｙｌｉｄｅｎｅ ｆｌｕｏｒｉｄｅ‐ｃｏ‐ｔｒｉｃｈｌｏｒｏｅｔｈｙｌｅｎｅ）、ポリメチルメタクリレート（ｐｏｌｙｍｅｔｈｙｌｍｅｔｈａｃｒｙｌａｔｅ）、ポリアクリロニトリル（ｐｏｌｙａｃｒｙｌｏｎｉｔｒｉｌｅ）、ポリビニルピロリドン（ｐｏｌｙｖｉｎｙｌｐｙｒｒｏｌｉｄｏｎｅ）、ポリビニルアセテート（ｐｏｌｙｖｉｎｙｌａｃｅｔａｔｅ）、エチレンビニルアセテート共重合体（ｐｏｌｙｅｔｈｙｌｅｎｅ‐ｃｏ‐ｖｉｎｙｌ ａｃｅｔａｔｅ）、ポリエチレンオキシド（ｐｏｌｙｅｔｈｙｌｅｎｅ ｏｘｉｄｅ）、セルロースアセテート（ｃｅｌｌｕｌｏｓｅ ａｃｅｔａｔｅ）、セルロースアセテートブチレート（ｃｅｌｌｕｌｏｓｅ ａｃｅｔａｔｅ ｂｕｔｙｒａｔｅ）、セルロースアセテートプロピオネート（ｃｅｌｌｕｌｏｓｅ ａｃｅｔａｔｅ ｐｒｏｐｉｏｎａｔｅ）、シアノエチルプルラン（ｃｙａｎｏｅｔｈｙｌｐｕｌｌｕｌａｎ）、シアノエチルポリビニルアルコール（ｃｙａｎｏｅｔｈｙｌｐｏｌｙｖｉｎｙｌａｌｃｏｈｏｌ）、シアノエチルセルロース（ｃｙａｎｏｅｔｈｙｌｃｅｌｌｕｌｏｓｅ）、シアノエチルスクロース（ｃｙａｎｏｅｔｈｙｌｓｕｃｒｏｓｅ）、プルラン（ｐｕｌｌｕｌａｎ）及びカルボキシルメチルセルロース（ｃａｒｂｏｘｙｌ ｍｅｔｈｙｌ ｃｅｌｌｕｌｏｓｅ）からなる群より選択された何れか一つのバインダー高分子またはこれらのうち２種以上の混合物であることを特徴とする請求項１３に記載の電気化学素子。
【請求項１５】
前記第１多孔性コーティング層及び第２多孔性コーティング層の厚さは、互いに独立して、０.０１ないし２０μｍであることを特徴とする請求項１〜１４のいずれかに記載の電気化学素子。
【請求項１６】
前記電気化学素子は、リチウム二次電池であることを特徴とする請求項１〜１５のいずれかに記載の電気化学素子。